(57)【要約】  【課題】指向性切替アンテナで受信不能が発生したときに、受信可能な方向を効率良く検出できるようにする。  【解決手段】受信不能が発生したときのアンテナの指向方向を基準方向とし、この基準方向から左右交互に指向方向をシフトさせ、シフト後の方向における放送電波の受信可否を判定する。そして、放送電波の受信が可能となるまで、指向方向のシフト量を増加させながら、基準方向付近の所定領域において左回りのシフトと右回りのシフトを交互に反復する。【選択図】  図２
2006013930.tif 000002
【特許請求の範囲】
【請求項１】
スマートアンテナで受信した放送電波から所定チャンネルの信号を取り出すチューナと、このチューナで取り出された信号を処理する信号処理部とを備えた放送受信機において、
前記スマートアンテナで放送電波が受信不能となった場合に、そのときのアンテナの指向方向を基準方向として、この基準方向から左回りまたは右回りへ所定量だけ指向方向をシフトさせ、当該方向での放送電波の受信可否を判定する制御手段を備え、
前記制御手段は、放送電波の受信が可能となるまで、指向方向のシフト量を増加させながら、かつ、シフトする方向には一度受信可否を判定した方向が含まれないように、左回りのシフトと右回りのシフトとを前記基準方向付近の領域において交互に反復することを特徴とする放送受信機。
【請求項２】
スマートアンテナで受信した放送電波から所定チャンネルの信号を取り出すチューナと、このチューナで取り出された信号を処理する信号処理部とを備えた放送受信機において、
前記スマートアンテナで放送電波が受信不能となった場合に、そのときのアンテナの指向方向を基準方向として、この基準方向から左回りまたは右回りへ所定量だけ指向方向をシフトさせ、当該方向での放送電波の受信可否を判定する制御手段を備え、
前記制御手段は、放送電波の受信が可能となるまで、指向方向のシフト量を増加させながら、かつ、シフトする方向には一度受信可否を判定した方向も含まれるように、左回りのシフトと右回りのシフトとを前記基準方向付近の領域において交互に反復することを特徴とする放送受信機。
【請求項３】
スマートアンテナで受信した放送電波から所定チャンネルの信号を取り出すチューナと、このチューナで取り出された信号を処理する信号処理部とを備えた放送受信機において、
前記スマートアンテナで放送電波が受信不能となった場合に、そのときのアンテナの指向方向を基準方向として、この基準方向から左回りまたは右回りへ所定量だけ指向方向をシフトさせ、当該方向での放送電波の受信可否を判定する制御手段を備え、
前記制御手段は、放送電波の受信が可能となるまで、前記基準方向付近の領域において前記指向方向のシフトを複数のサイクルにわたって行い、各サイクルにおいては、シフトする方向に当該サイクル内で一度受信可否を判定した方向が含まれないように、基準方向から左回りのシフトと右回りのシフトとを交互に行うとともに、１つのサイクルが終了して次のサイクルに移るたびに、指向方向のシフト量を増加させるようにしたことを特徴とする放送受信機。
【請求項４】
複数方向に指向性の切り替えが可能な指向性切替アンテナで放送電波を受信する放送受信機において、
前記アンテナで放送電波の受信が不能となった場合に、そのときのアンテナの指向方向を基準方向として、この基準方向から左回りまたは右回りへ所定量だけ指向方向をシフトさせた後、当該方向での放送電波の受信可否を判定し、放送電波の受信が可能となるまで、前記指向方向のシフト量を増加させながら、左回りのシフトと右回りのシフトとを前記基準方向付近の領域において交互に反復することを特徴とする放送受信機。
【発明の詳細な説明】
【技術分野】
【０００１】
本発明は、複数の放送局から送信される所定チャンネルの放送電波を、指向性切替アンテナによって受信する放送受信機に関するものである。
【背景技術】
【０００２】
日本では一般に、一箇所の基地局からテレビジョン放送等の放送電波が送信されている。そのため、住居の屋根やベランダ等に放送受信用のアンテナを基地局へ向けて固定し、アンテナと放送受信機とをケーブルで接続することで、複数の放送局が送信している放送電波をほぼ全て受信することができる。これに対して、例えば米国では、複数の放送局からそれぞれ個別に放送電波が送信されている。そのため、アンテナを一箇所に向けて固定すると、アンテナの向いている方向にある放送局の放送電波は受信することができるが、アンテナの向いていない方向にある放送局の放送電波は受信することができない。
【０００３】
そこで、異なる方位にある複数の放送局からの電波を１つのアンテナで受信するには、アンテナの指向性を複数方向に切り替える必要がある。このような指向性の切り替えが可能なアンテナ（以下、「指向性切替アンテナ」という）は、例えば後記の特許文献１〜３に記載されている。指向性切替アンテナは、複数のアンテナ素子と、各アンテナ素子に対応する移相器等から構成され、各アンテナ素子で受信した信号の位相を各移相器で調整して合成することにより、指向性を電気的に可変させる。例えば、指向性切替アンテナの一例であるスマートアンテナでは、指向性を１６方向に切り替えることが規格で規定されている。
【０００４】
このような指向性切替アンテナを用いると、放送受信機からアンテナに制御信号を送信して、当該アンテナの指向性を所定方向に切り替えることにより、各放送局からの放送電波を受信することができる。これにより、ユーザは、指向性切替アンテナを住居の屋根等に固定して取り付けても、点在している複数の放送局から送信されている放送電波を殆ど全て受信することができる。
【０００５】
指向性切替アンテナの制御方法は、特許文献１〜３に示されている。特許文献１においては、記憶回路にいくつかの適当なパラメータを記憶することで、指向方向制御信号に応じて指向方向を任意に走査でき、また、パラメータを適当に選ぶことによって、指向方向に応じて指向性パターンも同時に変えることができるようにしている。特許文献２においては、受信チャネルを変更するごとに、アンテナの指向性を全方位にスキャンして、そのときの受信電力レベルを測定し、受信電力レベルが最大となる方位にアンテナの指向性を設定することで、チャンネルごとにアンテナの指向性を最適に設定できるようにしている。特許文献３においては、受信状態が不良になったときに、そのときのビーム方向を中心として、合成指向特性のビーム方向を左右交互に徐々に角度を広げつつ振ってゆき、受信状態が良好となったときの方向で受信を継続するようにしている。
【特許文献１】特開平７−２２６６１１号公報（段落００１９〜００２５、図１、図３）
【特許文献２】特開平１１−２９８２２６号公報（段落０００８〜００１０、図５）
【特許文献３】特開昭６２−６９７３３号公報（第３頁左上欄第９行〜第１７行、第３頁右下欄第１６行〜第４頁右上欄第１４行、第１図、第４図）
【発明の開示】
【発明が解決しようとする課題】
【０００６】
上述したような指向性切替アンテナで放送電波を受信する放送受信機において、周波数のロック状態が外れると、それまで受信していた放送電波が正常に受信できなくなる受信不能の状態が発生する。このような場合に、例えば図８に示すように、受信不能時の指向方向である方向０から方向１５まで順にスキャンして、受信可能な方向を検出することが考えられるが、この方法は、全ての方向に対して受信可否をサーチするため効率が悪い。
【０００７】
また、上記特許文献３では、受信不能が発生した場合に、そのときの指向方向を中心として、左右交互に角度を広げながら指向性を切り替えることにより、良好な受信状態を探索している。すなわち、初期位置（０°）から右へ４５°指向性を切り替え、この位置で受信不良であった場合は、初期位置（０°）から左へ４５°指向性を切り替える。この位置でも受信不良であった場合は、初期位置（０°）から右へ９０°指向性を切り替え、この位置でも受信不良であった場合は、初期位置（０°）から左へ９０°指向性を切り替える。さらに、この位置でも受信不良であった場合は、初期位置（０°）から右へ１３５°指向性を切り替える、というように、徐々に角度を広げながら、左右それぞれにおいて１８０°まで指向性を切り替える。また、本文献には、指向性の切り替え方向をランダムとすることも記載されている。
【０００８】
しかしながら、本文献は車両等の移動体に設けられるアンテナ装置を前提としており、このような装置では、移動体の移動方向によって受信状態が頻繁に変動する。したがって、このような移動体用のアンテナ装置に対しては、特許文献３のように、指向性を全周にわたって広範囲に切り替えたり、ランダムに切り替えたりすることは、受信可能な方向を早く見つける上でそれなりの意味がある。しかるに、屋内に設置される放送受信機の場合、これに接続されるアンテナ装置は、住居の屋根等に固定して取り付けられるから、移動体の場合ほど受信状態が変動することは少ない。このため、受信不能が発生したときに、特許文献３のような方法でアンテナの指向性を切り替えたのでは、良好な受信方向を検出するまでにかえって時間がかかってしまうことがある。このような課題に対しては、前記の特許文献１、特許文献２にも具体的な解決手段は示されていない。
【０００９】
そこで、本発明の目的は、指向性切替アンテナで受信不能が発生したときに、受信可能な方向を効率良く検出できる放送受信機を提供することにある。
【課題を解決するための手段】
【００１０】
本発明は、複数方向に指向性の切り替えが可能な指向性切替アンテナで放送電波を受信する放送受信機において、アンテナで放送電波の受信が不能となった場合に、そのときのアンテナの指向方向を基準方向として、この基準方向から左回りまたは右回りへ所定量だけ指向方向をシフトさせた後、当該方向での放送電波の受信可否を判定し、放送電波の受信が可能となるまで、指向方向のシフト量を増加させながら、左回りのシフトと右回りのシフトとを基準方向付近の領域において交互に反復するようにしたものである。なお、本発明でいう「受信不能」とは、受信信号を全く検出できない場合だけを指すのではなく、受信信号が検出できてもそのレベルが一定値未満である場合を含む。
【００１１】
据付型のアンテナの場合は、前述のように、受信状態の変動が移動体の場合ほど極端ではないので、受信不能の状態が発生したとしても、そのときの指向方向に近い方向において再受信が可能となる場合が比較的多い。したがって、本発明のように、受信不能時の指向方向を基準方向として、左回りのシフトと右回りのシフトとを基準方向付近の領域において交互に反復することにより、受信可能な方向を短時間で見つけることができる確率が高くなる。
【００１２】
本発明では、指向性切替アンテナの典型的なものとして、スマートアンテナを用いることができる。後述する実施形態においては、スマートアンテナを用いた３つの実施形態が開示されている。
【００１３】
各実施形態では、スマートアンテナで受信した放送電波から所定チャンネルの信号を取り出すチューナと、このチューナで取り出された信号を処理する信号処理部とを備えた放送受信機において、スマートアンテナで放送電波が受信不能となった場合に、そのときのアンテナの指向方向を基準方向として、この基準方向から左回りまたは右回りへ所定量だけ指向方向をシフトさせ、当該方向での放送電波の受信可否を判定する制御手段が設けられている。
【００１４】
第１実施形態では、制御手段は、放送電波の受信が可能となるまで、指向方向のシフト量を増加させながら、かつ、シフトする方向には一度受信可否を判定した方向が含まれないように、左回りのシフトと右回りのシフトとを基準方向付近の領域において交互に反復する。このように、一度受信可否を判定した方向を除外して指向性をシフトさせることで、受信可能な方向を検出するまでのサーチ時間を短縮することができる。
【００１５】
第２実施形態では、制御手段は、放送電波の受信が可能となるまで、指向方向のシフト量を増加させながら、かつ、シフトする方向には一度受信可否を判定した方向も含まれるように、左回りのシフトと右回りのシフトとを基準方向付近の領域において交互に反復する。このように、一度受信可否を判定した方向を除外せずに指向性をシフトさせることで、第１実施形態に比べて多少時間はかかるが、同じ方向について複数回の判定が行われるため、受信可能な方向の検出精度を向上させることができる。
【００１６】
第３実施形態では、制御手段は、放送電波の受信が可能となるまで、基準方向付近の領域において指向方向のシフトを複数のサイクルにわたって行い、各サイクルにおいては、シフトする方向に当該サイクル内で一度受信可否を判定した方向が含まれないように、基準方向から左回りのシフトと右回りのシフトとを交互に行うとともに、１つのサイクルが終了して次のサイクルに移るたびに、指向方向のシフト量を増加させる。このようにすれば、各サイクル内では同じ方向について重複判定が行われないとともに、各サイクル間では同じ方向について重複判定が行われるため、受信可能な方向を検出するまでのサーチ時間をある程度短縮しながら、受信可能な方向の検出精度もある程度向上させることができる。
【発明の効果】
【００１７】
本発明によれば、指向性切替アンテナでの受信不能が発生したときに、受信可能な方向を効率良く検出できるので、正常受信状態への復帰を迅速に行うことが可能となる。
【発明を実施するための最良の形態】
【００１８】
図１は、本発明に係る放送受信機を用いたテレビジョン放送の受信システムを示す図である。図１において、１は放送受信機、２はスマートアンテナ、３はテレビジョン受像機（以下、「テレビ」という）である。放送受信機１とテレビ３とは、一般家庭の住居内に据置されていて、ケーブルにより接続されている。スマートアンテナ２は、住居の屋根またはベランダに取付固定されていて、放送受信機１とケーブルにより接続されている。
【００１９】
スマートアンテナ２は、４本のアンテナ素子２ａ〜２ｄと、各アンテナ素子２ａ〜２ｄに対応させて設けた移相器、合成器、および制御回路等（アンテナ素子２ａ〜２ｄ以外は図示省略）を備えていて、各アンテナ素子２ａ〜２ｄによって受信した信号の位相を各移相器で調整し、調整後の信号を合成器で合成することにより、指向性を電気的に１６方向に切り替える。なお、１６方向とは、スマートアンテナ２の周囲３６０°を１６分割した各方向のことであり、当該各方向は、０〜１５の番号で示される（例えば図２参照）。放送受信機１は、スマートアンテナ２を制御して、スマートアンテナ２の指向性を切り替えることにより、住居の周辺に点在している複数の放送局より送信されるテレビジョン放送電波を受信する。スマートアンテナ２は、本発明における指向性切替アンテナの一実施形態を構成する。
【００２０】
４はＣＰＵやＲＯＭやＲＡＭ等からなる制御部であって、放送受信機１の各部を制御する。制御部４のＲＯＭには、制御用のプログラムおよびデータが記憶されていて、ＲＡＭには、制御用のデータが読み書き可能に記憶される。この制御部４は、後述するように、受信不能が発生した際に、スマートアンテナ２の指向性を切り替えて、受信可能な方向を検出する。制御部４は、本発明における制御手段の一実施形態を構成する。
【００２１】
５はチューナであって、スマートアンテナ２で受信した放送電波から所定チャンネルの信号を取り出す。６は信号処理部であって、チューナ５で取り出された信号を処理して、再生映像信号および再生音声信号を生成する。７はＯＳＤ（On Screen Display）回路であって、信号処理部６から出力される再生映像信号に制御部４から出力される画像データを重畳させて、テレビ３のモニタの画面上にオンスクリーン表示させる。テレビ３は、信号処理部６から出力される再生映像信号に基づいて、映像をモニタに表示するとともに、信号処理部６から出力される再生音声信号に基づいて、音声をスピーカから出力する（図１では、音声系統の図示を省略）。
【００２２】
８は不揮発性のメモリ、９はチャンネルキーや電源キー等の各種のキーを備えた操作部、１０はリモートコントローラ（以下、「リモコン」という）１１からの信号を受信するリモコン受信部である。リモコン１１は、チャンネルキー、メニューキー、および十字キー等の各種のキーを備えている。
【００２３】
上述した構成において、ユーザが放送受信機１とスマートアンテナ２とを接続した後、放送受信機１の電源を投入すると、制御部４は、チャンネルのプリセット（初期設定）を行う。なお、ユーザがリモコン１１を操作して、プリセットを指示したときにも、制御部４は、チャンネルのプリセットを行う。チャンネルプリセットにおいては、チャンネル番号と、当該チャンネルにおいて受信可能な方向の番号とが、メモリ８に順次記録される。そして、全てのチャンネルのプリセットが完了すると、メモリ８の所定領域には、チャンネル番号と方向番号とが対応付けられたチャンネルプリセットテーブルが作成される。
【００２４】
チャンネルプリセットテーブルが作成されたことは、住居の周囲に点在している複数の放送局から送信されている放送電波を殆ど全て受信して、チャンネル番号毎に受信可能なアンテナの方向を放送受信機１に設定できたことを意味する。このため、上記テーブルの作成後、ユーザがリモコン１１を操作してチャンネルを切り替えたときに、制御部４が、切り替え先のチャンネルの放送電波を受信できる方向をテーブルから読み出し、当該番号の示す方向にスマートアンテナ２の指向性を切り替えることにより、同チャンネル番号の放送電波を即座に受信することができる。そして、受信した放送電波をチューナ５および信号処理部６により処理して、即座にテレビ３に映像を表示させ、また音声を出力することができる。これによって、ユーザが切り替え先のチャンネル番号の放送を視聴可能になるまでの時間を短縮することが可能となる。
【００２５】
次に、上述した放送受信機１において、受信不能が発生した場合の動作について説明する。図２は、本発明の第１実施形態における受信不能時の動作を説明する図である。図２において、円の外周に沿う０〜１５の数字はアンテナの方向を示している。また、○の中の数字は、指向方向のシフトの順番を表している。図４および図６においても同様である。
【００２６】
いま、受信不能が発生した際のアンテナの指向方向が方向０であったとする。この方向０を基準方向として、まず左回りに指向方向を１つシフトさせ、方向１における受信信号のレベルを検出する。そして、レベルが所定の閾値以上であれば受信可能と判定し、閾値未満であれば受信不能と判定する。この判定方法は、以下の説明においても同様である。方向１においても受信不能であった場合は、次に、基準方向（方向０）から右回りに指向方向を１つシフトさせ、方向１５における受信信号のレベルを検出する。方向１５においても受信不能であった場合は、次に、基準方向（方向０）から左回りに指向方向を２つシフトさせ、方向２における受信信号のレベルを検出する。方向２においても受信不能であった場合は、基準方向（方向０）から右回りに指向方向を２つシフトさせ、方向１４における受信信号のレベルを検出する。
【００２７】
このようにして、左回りと右回りに交互にスキャンを行いながら、指向方向を順次シフトさせてゆき、各方向での放送電波の受信可否を判定する。そして、その過程で受信可能な方向が見つかった場合は、その時点でスキャンを停止し、その方向を新たな指向方向として設定し、以後は、その方向にアンテナの指向方向を固定して放送電波の受信を行う。
【００２８】
ところで、指向方向の左右へのシフト範囲は無制限ではなく、基準方向付近の所定の領域とする。例えば、基準方向（方向０）の左側については方向０〜方向２、基準方向（方向０）の右側については方向０〜方向１４の範囲に設定する。但し、これは一例であって、例えば基準方向の左側を方向０〜方向３、基準方向の右側を方向０〜方向１３とすることも可能である。要は、シフト範囲を基準方向から一定の角度範囲に制限すればよい。
【００２９】
この角度範囲において受信可能な方向が検出されなかった場合は、最初に戻って、方向０を基準方向として、左回りに指向方向を１つシフトさせることから再開する。この動作を放送電波の受信が可能となるまで反復する。基準方向は、受信不能が発生するまで放送電波を正常に受信できていた方向であり、その付近の方向は再受信できる確率が高いため、上記のように範囲を制限して指向方向のシフトを行うことにより、受信可能な方向を短時間で見つけることが可能となる。
【００３０】
図２から分かるように、第１実施形態においては、一度受信可否を判定した方向を除外して指向性をシフトさせている。すなわち、方向１から方向１５へシフトする場合は、受信可否を判定済の方向０はスキップし、方向１５から方向２へシフトする場合は、受信可否を判定済の方向０と方向１はスキップし、方向２から方向１４へシフトする場合は、受信可否を判定済の方向１と方向０と方向１５はスキップしている。このようにすることで、同じ方向についての重複判定をなくし、受信可能な方向を検出するまでのサーチ時間を短縮することができる。
【００３１】
図３は、上述した第１実施形態における受信不能時の動作を表したフローチャートである。この手順は、制御部４のＣＰＵがＲＯＭに格納されたプログラムに従って実行する。図５および図７のフローチャートにおいても同様である。
【００３２】
制御部４は、常時、スマートアンテナ２の受信状態を監視している（ステップＳ１１）。スマートアンテナ２での受信信号のレベルが閾値以上であれば、受信不能状態は発生しておらず（ステップＳ１２：ＮＯ）、ステップＳ１１に戻って受信状態の監視を継続する。スマートアンテナ２での受信信号のレベルが閾値未満になると、受信不能状態が発生したと判定し（ステップＳ１２：ＹＥＳ）、カウンタＮの値をＮ＝１に設定する（ステップＳ１３）。このカウンタは、例えば、制御部４のメモリ（ＲＡＭ）の所定領域に設けられている。そして、受信不能発生時のアンテナの指向方向を基準方向として、左回りにＮ方向だけ指向方向をシフトする（ステップＳ１４）。今の時点では、Ｎ＝１であるから、指向方向は左回りに１方向だけシフトする。このときの指向方向は、図２の方向１となる。
【００３３】
次に、シフト後の指向方向（方向１）における受信信号のレベルを検出して、受信の可否を判定する（ステップＳ１５）。当該方向において受信が可能な場合は（ステップＳ１５：ＹＥＳ）、そのときの受信方向（方向番号）をメモリ８に保存する（ステップＳ２０）。一方、受信不能の場合は（ステップＳ１５：ＮＯ）、基準方向（方向０）から右回りにＮ方向だけ指向方向をシフトする（ステップＳ１６）。今の時点では、Ｎ＝１であるから、指向方向は右回りに１方向だけシフトする。このときの指向方向は、図２の方向１５となる。
【００３４】
次に、シフト後の指向方向（方向１５）における受信信号のレベルを検出して、受信の可否を判定する（ステップＳ１７）。当該方向において受信が可能な場合は（ステップＳ１７：ＹＥＳ）、そのときの受信方向（方向番号）をメモリ８に保存する（ステップＳ２０）。一方、受信不能の場合は（ステップＳ１７：ＮＯ）、Ｎの値が所定値に達したか否かを判定する（ステップＳ１８）。この所定値は、指向方向のシフト範囲、換言すれば受信可能方向の探索範囲を一定範囲に限定するためのもので、例えば３に設定される。所定値を３とした場合は、後述の説明からわかるように、指向方向のシフト範囲は、基準方向の左側については方向０〜方向３の領域、基準方向の右側については方向０〜方向１３の領域となる。今の時点では、Ｎ＝１であるのでＮ＜３となり（ステップＳ１８：ＮＯ）、Ｎの値に１を加算してＮ＝Ｎ＋１とする（ステップＳ１９）。これにより、Ｎの値は２となる。
【００３５】
その後、ステップＳ１４に戻り、基準方向（方向０）から左回りにＮ方向だけ指向方向をシフトする。今の時点では、Ｎ＝２であるから、指向方向は左回りに２方向だけシフトする。このときの指向方向は、図２の方向２となる。そして、シフト後の指向方向（方向２）における受信信号のレベルを検出して、受信の可否を判定する（ステップＳ１５）。当該方向において受信が可能な場合は（ステップＳ１５：ＹＥＳ）、そのときの受信方向（方向番号）をメモリ８に保存する（ステップＳ２０）。一方、受信不能の場合は（ステップＳ１５：ＮＯ）、基準方向（方向０）から右回りにＮ方向だけ指向方向をシフトする（ステップＳ１６）。今の時点では、Ｎ＝２であるから、指向方向は右回りに２方向だけシフトする。このときの指向方向は、図２の方向１４となる。
【００３６】
次に、シフト後の指向方向（方向１４）における受信信号のレベルを検出して、受信の可否を判定する（ステップＳ１７）。当該方向において受信が可能な場合は（ステップＳ１７：ＹＥＳ）、そのときの受信方向（方向番号）をメモリ８に保存する（ステップＳ２０）。一方、受信不能の場合は（ステップＳ１７：ＮＯ）、Ｎの値が所定値に達したか否かを判定する（ステップＳ１８）。今の時点では、Ｎ＝２であるのでＮ＜３となり（ステップＳ１８：ＮＯ）、Ｎの値に１を加算してＮ＝Ｎ＋１とする（ステップＳ１９）。これにより、Ｎの値は３となる。
【００３７】
その後、ステップＳ１４に戻り、基準方向（方向０）から左回りにＮ方向だけ指向方向をシフトする。今の時点では、Ｎ＝３であるから、指向方向は左回りに３方向だけシフトする。このときの指向方向は、図２の方向３となる。そして、シフト後の指向方向（方向３）における受信信号のレベルを検出して、受信の可否を判定する（ステップＳ１５）。当該方向において受信が可能な場合は（ステップＳ１５：ＹＥＳ）、そのときの受信方向（方向番号）をメモリ８に保存する（ステップＳ２０）。一方、受信不能の場合は（ステップＳ１５：ＮＯ）、基準方向（方向０）から右回りにＮ方向だけ指向方向をシフトする（ステップＳ１６）。今の時点では、Ｎ＝３であるから、指向方向は右回りに３方向だけシフトする。このときの指向方向は、図２の方向１３となる。
【００３８】
次に、シフト後の指向方向（方向１３）における受信信号のレベルを検出して、受信の可否を判定する（ステップＳ１７）。当該方向において受信が可能な場合は（ステップＳ１７：ＹＥＳ）、そのときの受信方向（方向番号）をメモリ８に保存する（ステップＳ２０）。一方、受信不能の場合は（ステップＳ１７：ＮＯ）、Ｎの値が所定値に達したか否かを判定する（ステップＳ１８）。今の時点では、Ｎ＝３となっているのでＮ≧３となり（ステップＳ１８：ＹＥＳ）、ステップＳ１３へ移ってＮの値をＮ＝１に戻し、上述した一連の手順を繰り返す。
【００３９】
ステップＳ１５およびＳ１７において、受信可能と判定され、ステップＳ２０で受信方向がメモリ８に保存されると、メモリ８に記憶されている指向方向が更新され、スマートアンテナ２は、制御部４からの指令に基づき、その方向に指向性を設定して以後の放送電波の受信を行う。
【００４０】
図４は、本発明の第２実施形態における受信不能時の動作を説明する図である。受信不能が発生した際のアンテナの指向方向が方向０であったとする。この方向０を基準方向として、まず左回りに指向方向を１つシフトさせ、方向１における受信レベルに基づいて受信可否を判定する。方向１においても受信不能であった場合は、シフト方向を反転し、その方向１から右回りに指向方向を１つシフトさせて、方向０における受信可否を判定する。方向０において受信不能であった場合は、その方向０から右回りに指向方向を１つシフトさせ、方向１５における受信可否を判定する。
【００４１】
方向１５において受信不能であった場合は、シフト方向を反転し、方向１５から左回りに指向方向を１つシフトさせて、方向０における受信可否を再度判定する。方向０において受信不能であった場合は、その方向０から左回りに指向方向を１つシフトさせ、方向１における受信可否を再度判定する。方向１において受信不能であった場合は、その方向１からさらに左回りに指向方向を１つシフトさせ、方向２における受信可否を判定する。
【００４２】
方向２において受信不能であった場合は、シフト方向を反転し、方向２から右回りに指向方向を１つシフトさせて、方向１における受信可否を再度判定する。方向１において受信不能であった場合は、その方向１から右回りに指向方向を１つシフトさせ、方向０における受信可否を再度判定する。方向０において受信不能であった場合は、その方向０から右回りに指向方向を１つシフトさせ、方向１５における受信可否を再度判定する。方向１５において受信不能であった場合は、その方向１５から右回りに指向方向を１つシフトさせ、方向１４における受信可否を判定する。
【００４３】
このようにして、左回りと右回りにスキャンを反復しながら、指向方向を順次シフトさせてゆき、各方向での放送電波の受信可否を判定する。そして、その過程で受信可能な方向が見つかった場合は、その時点でスキャンを停止し、その方向を新たな指向方向として設定し、以後は、その方向にアンテナの指向方向を固定して放送電波の受信を行う。
【００４４】
第２実施形態においても、第１実施形態と同様に、指向方向のシフト範囲を基準方向付近の所定領域とする。例えば、基準方向（方向０）の左側については方向０〜方向２、基準方向（方向０）の右側については方向０〜方向１４の範囲に設定する。但し、これは一例であって、例えば基準方向の左側を方向０〜方向３、基準方向の右側を方向０〜方向１３とすることも可能である。要は、シフト範囲を基準方向から一定の角度範囲に制限すればよい。
【００４５】
この角度範囲において受信可能な方向が検出されなかった場合は、最初に戻って、方向０を基準方向として、左回りに指向方向を１つシフトさせることから再開する。この動作を放送電波の受信が可能となるまで反復する。基準方向は、受信不能が発生するまで放送電波を正常に受信できていた方向であり、その付近の方向は再受信できる確率が高いため、上記のように範囲を制限して指向方向のシフトを行うことにより、受信可能な方向を短時間で見つけることが可能となる。
【００４６】
図４から分かるように、第２実施形態においては、一度受信可否を判定した方向を除外せずに指向性をシフトさせている。すなわち、方向１から方向１５へシフトする場合は、受信可否を判定済の方向０へも再度シフトさせて受信可否を再判定し、方向１５から方向２へシフトする場合は、受信可否を判定済の方向０と方向１へも再度シフトさせて受信可否を再判定し、方向２から方向１４へシフトする場合は、受信可否を判定済の方向１と方向０と方向１５へも再度シフトさせて受信可否を再判定している。このようにすることで、第１実施形態よりも多少時間はかかるが、同じ方向について複数回の判定が行われるため、受信可能な方向の検出精度を向上させることができる。
【００４７】
図５は、上述した第２実施形態における受信不能時の動作を表したフローチャートである。制御部４は、常時、スマートアンテナ２の受信状態を監視している（ステップＳ３１）。スマートアンテナ２での受信信号のレベルが閾値以上であれば、受信不能状態は発生しておらず（ステップＳ３２：ＮＯ）、ステップＳ３１に戻って受信状態の監視を継続する。スマートアンテナ２での受信信号のレベルが閾値未満になると、受信不能状態が発生したと判定し（ステップＳ３２：ＹＥＳ）、カウンタＮの値をＮ＝１に設定する（ステップＳ３３）。そして、受信不能発生時のアンテナの指向方向を基準方向として、左回りに１方向だけ指向方向をシフトする（ステップＳ３４）。このときの指向方向は、図４の方向１となる。
【００４８】
次に、シフト後の指向方向（方向１）における受信信号のレベルを検出して、受信の可否を判定する（ステップＳ３５）。当該方向において受信が可能な場合は（ステップＳ３５：ＹＥＳ）、そのときの受信方向（方向番号）をメモリ８に保存する（ステップＳ４４）。一方、受信不能の場合は（ステップＳ３５：ＮＯ）、現在の方向（方向１）から右回りに１方向だけ指向方向をシフトする（ステップＳ３６）。このときの指向方向は、図４の方向０となる。
【００４９】
次に、シフト後の指向方向（方向０）における受信信号のレベルを検出して、受信の可否を判定する（ステップＳ３７）。当該方向において受信が可能な場合は（ステップＳ３７：ＹＥＳ）、そのときの受信方向（方向番号）をメモリ８に保存する（ステップＳ４４）。一方、受信不能の場合は（ステップＳ３７：ＮＯ）、基準方向（方向０）から右回りにＮ方向シフトしたか否かを判定する（ステップＳ３８）。今の時点ではＮ＝１であり、指向方向は方向０であるから、基準方向（方向０）から右回りに１方向シフトしていないと判断し（ステップＳ３８：ＮＯ）、ステップＳ３６に戻って、現在の方向（方向０）からさらに右回りに１方向シフトさせる。このときの指向方向は、図４の方向１５となる。
【００５０】
その後、ステップＳ３７を実行し、受信可能な場合は（ステップＳ３７：ＹＥＳ）、ステップＳ４４へ移行し、受信不能の場合は（ステップＳ３７：ＮＯ）、ステップＳ３８へ移行する。ステップＳ３８では、再度、基準方向（方向０）から右回りにＮ方向シフトしたか否かを判定するが、この時点では、Ｎ＝１で、指向方向は方向１５であるから、指向方向が基準方向から右回りに１方向シフトしたと判断する（ステップＳ３８：ＹＥＳ）。
【００５１】
次に、Ｎの値が所定値に達したか否かを判定する（ステップＳ３９）。この所定値は、第１実施形態の場合と同様に、指向方向のシフト範囲、換言すれば受信可能方向の探索範囲を一定範囲に限定するためのもので、例えば３に設定される。所定値を３とした場合は、後述の説明からわかるように、指向方向のシフト範囲は、基準方向の左側については方向０〜方向３の領域、基準方向の右側については方向０〜方向１３の領域となる。今の時点では、Ｎ＝１であるのでＮ＜３となり（ステップＳ３９：ＮＯ）、Ｎの値に１を加算してＮ＝Ｎ＋１とする（ステップＳ４０）。これにより、Ｎの値は２となる。
【００５２】
次に、シフト方向を反転し、現在の方向（方向１５）から左回りに１方向だけ指向方向をシフトする（ステップＳ４１）。このときの指向方向は、図４の方向０となる。続いて、シフト後の指向方向（方向０）における受信信号のレベルを検出して、受信の可否を判定する（ステップＳ４２）。当該方向において受信が可能な場合は（ステップＳ４２：ＹＥＳ）、そのときの受信方向（方向番号）をメモリ８に保存する（ステップＳ４４）。一方、受信不能の場合は（ステップＳ４２：ＮＯ）、基準方向（方向０）から左回りにＮ方向シフトしたか否かを判定する（ステップＳ４３）。この時点ではＮ＝２となっているが、指向方向は方向０であるから、基準方向（方向０）から左回りに２方向シフトしていないと判断し（ステップＳ４３：ＮＯ）、ステップＳ４１に戻って、現在の方向（方向０）からさらに左回りに１方向シフトさせる。このときの指向方向は、図４の方向１となる。
【００５３】
その後、ステップＳ４２を実行し、受信可能な場合は（ステップＳ４２：ＹＥＳ）、ステップＳ４４へ移行し、受信不能の場合は（ステップＳ４２：ＮＯ）、ステップＳ４３へ移行する。ステップＳ４３では、再度、基準方向（方向０）から左回りに２方向シフトしたか否かを判定するが、この時点では、指向方向はまだ方向１であるから、指向方向が基準方向から左回りに２方向シフトしていないと判断する（ステップＳ４３：ＮＯ）。したがって、再びステップＳ４１へ戻り、現在の方向（方向１）からさらに左回りに１方向シフトさせる。このときの指向方向は、図４の方向２となる。
【００５４】
次に、ステップＳ４２を実行し、受信可能な場合は（ステップＳ４２：ＹＥＳ）、ステップＳ４４へ移行し、受信不能の場合は（ステップＳ４２：ＮＯ）、ステップＳ４３へ移行する。ステップＳ４３では、再度、基準方向（方向０）から左回りに２方向シフトしたか否かを判定するが、この時点では、指向方向は方向２であるから、指向方向が基準方向から左回りに２方向シフトしたと判断する（ステップＳ４３：ＹＥＳ）。
【００５５】
その後、ステップＳ３６に戻り、シフト方向を反転して、現在の方向（方向２）から右回りに１方向だけ指向方向をシフトする。このときの指向方向は、図４の方向１となる。以下同様にして、ステップＳ３６〜Ｓ３８を繰り返し実行し、指向方向を右回りに１方向ずつシフトさせてゆく。そして、方向１４までシフトすると、基準方向（方向０）から右回りに２方向シフトしたと判定し（ステップＳ３８：ＹＥＳ）、次に、Ｎの値が所定値に達したか否かを判定する（ステップＳ３９）。今の時点では、Ｎ＝２であるのでＮ＜３となり（ステップＳ３９：ＮＯ）、Ｎの値に１を加算してＮ＝Ｎ＋１とする（ステップＳ４０）。これにより、Ｎの値は３となる。
【００５６】
次に、シフト方向を反転し、現在の方向（方向１４）から左回りに１方向だけ指向方向をシフトする（ステップＳ４１）。以下同様にして、ステップＳ４１〜Ｓ４３を繰り返し実行し、指向方向を左回りに１方向ずつシフトさせてゆく。方向３までシフトすると、基準方向（方向０）から左回りに３方向シフトしたと判定する（ステップＳ４３：ＹＥＳ）。そして、ステップＳ３６へ移ってシフト方向を反転し、現在の方向（方向３）から右回りに１方向だけ指向方向をシフトする。以下同様にして、ステップＳ３６〜Ｓ３８を繰り返し実行し、指向方向を右回りに１方向ずつシフトさせてゆく。方向１３までシフトすると、基準方向（方向０）から右回りに３方向シフトしたと判定し（ステップＳ３８：ＹＥＳ）、次に、Ｎの値が所定値に達したか否かを判定する（ステップＳ３９）。この時点では、Ｎ＝３となっているのでＮ≧３となり（ステップＳ３９：ＹＥＳ）、ステップＳ３３へ移ってＮの値をＮ＝１に戻し、上述した一連の手順を繰り返す。
【００５７】
ステップＳ３５、Ｓ３７およびＳ４２において、受信可能と判定され、ステップＳ４４で受信方向がメモリ８に保存されると、メモリ８に記憶されている指向方向が更新され、スマートアンテナ２は、制御部４からの指令に基づき、その方向に指向性を設定して以後の放送電波の受信を行う。
【００５８】
図６は、本発明の第３実施形態における受信不能時の動作を説明する図である。受信不能が発生した際のアンテナの指向方向が方向０であったとする。この方向０を基準方向として、まず左回りに指向方向を１つシフトさせ、方向１における受信レベルに基づいて受信可否を判定する。方向１においても受信不能であった場合は、次に、基準方向（方向０）から右回りに指向方向を１つシフトさせる。これで、最初の第１サイクルのシフト動作が終わる。そして、方向１５における受信信号のレベルを検出し、方向１５においても受信不能であった場合は、シフト方向を基準方向（方向０）に戻す。そして、次の第２サイクルに移る。第２サイクルでは、再度、基準方向から左回りに指向方向を１つシフトさせ、方向１における受信可否を判定する。方向１においても受信不能であった場合は、基準方向（方向０）から右回りに指向方向を１つシフトさせ、方向１５における受信信号のレベルを検出する。ここまでは、第１サイクルと同じである。第２サイクルでは、方向１５においても受信不能であった場合、さらに、基準方向から左回りに指向方向を２つシフトさせ、方向２における受信可否を判定する。そして、方向２においても受信不能であった場合は、基準方向（方向０）から右回りに指向方向を２つシフトさせ、方向１４における受信信号のレベルを検出する。
【００５９】
このようにして、各サイクルにおいて、左回りと右回りに交互にスキャンを行いながら、指向方向を順次シフトさせてゆき、各方向での放送電波の受信可否を判定する。そして、その過程で受信可能な方向が見つかった場合は、その時点でスキャンを停止し、その方向を新たな指向方向として設定し、以後は、その方向にアンテナの指向方向を固定して放送電波の受信を行う。
【００６０】
第３実施形態においても、第１および第２実施形態と同様に、指向方向のシフト範囲を基準方向付近の所定領域とする。例えば、基準方向（方向０）の左側については方向０〜方向２、基準方向（方向０）の右側については方向０〜方向１４の範囲に設定される。但し、これは一例であって、例えば基準方向の左側を方向０〜方向３、基準方向の右側を方向０〜方向１３とすることも可能である。要は、シフト範囲を基準方向から一定の角度範囲に制限すればよい。
【００６１】
この角度範囲において受信可能な方向が検出されなかった場合は、最初に戻って、方向０を基準方向として、左回りに指向方向を１つシフトさせることから再開する。この動作を放送電波の受信が可能となるまで反復する。基準方向は、受信不能が発生するまで放送電波を正常に受信できていた方向であり、その付近の方向は再受信できる確率が高いため、上記のように範囲を制限して指向方向のシフトを行うことにより、受信可能な方向を短時間で見つけることが可能となる。
【００６２】
図６から分かるように、第３実施形態においては、指向方向のシフトを複数のサイクルにわたって行い、各サイクルにおいては、第１実施形態と同様に、シフトする方向に当該サイクル内で一度受信可否を判定した方向が含まれないように、基準方向から左回りのシフトと右回りのシフトとを交互に行う。そして、１つのサイクルが終了して次のサイクルに移ると、指向方向のシフト量を増加させて、サーチ範囲を拡大する。このため、１つのサイクル内では、同じ方向について重複判定が行われることはない。一方、サイクル間では、同じ方向について重複判定が行われることになる（図６の方向１、方向０、方向１５参照）。この結果、受信可能な方向を検出するまでのサーチ時間は、第２実施形態よりも短くなり、また、受信可能な方向の検出精度は第１実施形態よりも向上する。
【００６３】
図７は、上述した第３実施形態における受信不能時の動作を表したフローチャートである。制御部４は、常時、スマートアンテナ２の受信状態を監視している（ステップＳ５１）。スマートアンテナ２での受信信号のレベルが閾値以上であれば、受信不能状態は発生しておらず（ステップＳ５２：ＮＯ）、ステップＳ５１に戻って受信状態の監視を継続する。スマートアンテナ２での受信信号のレベルが閾値未満になると、受信不能状態が発生したと判定し（ステップＳ５２：ＹＥＳ）、カウンタｍの値をｍ＝１に設定する（ステップＳ５３）。このカウンタｍは、シフト動作のサイクル数を表すものであって、カウンタＮと同様に、例えば、制御部４のメモリ（ＲＡＭ）の所定領域に設けられている。続いて、カウンタＮの値をＮ＝１に設定する（ステップＳ５４）。その後、受信不能発生時のアンテナの指向方向を基準方向として、左回りにＮ方向だけ指向方向をシフトする（ステップＳ５５）。今の時点では、Ｎ＝１であるから、指向方向は左回りに１方向だけシフトする。このときの指向方向は、図６の方向１となる。
【００６４】
次に、シフト後の指向方向（方向１）における受信信号のレベルを検出して、受信の可否を判定する（ステップＳ５６）。当該方向において受信が可能な場合は（ステップＳ５６：ＹＥＳ）、そのときの受信方向（方向番号）をメモリ８に保存する（ステップＳ６５）。一方、受信不能の場合は（ステップＳ５６：ＮＯ）、基準方向（方向０）から右回りにＮ方向だけ指向方向をシフトする（ステップＳ５７）。今の時点では、Ｎ＝１であるから、指向方向は右回りに１方向だけシフトする。このときの指向方向は、図６の方向１５となる。
【００６５】
次に、シフト後の指向方向（方向１５）における受信信号のレベルを検出して、受信の可否を判定する（ステップＳ５８）。当該方向において受信が可能な場合は（ステップＳ５８：ＹＥＳ）、そのときの受信方向（方向番号）をメモリ８に保存する（ステップＳ６５）。一方、受信不能の場合は（ステップＳ５８：ＮＯ）、ｍの値が所定値に達したか否かを判定する（ステップＳ５９）。この所定値は、シフト動作のサイクル数、換言すれば受信可能方向の探索範囲を一定範囲に限定するためのもので、例えば３に設定される。所定値を３とした場合は、後述の説明からわかるように、指向方向のシフト範囲は、基準方向の左側については方向０〜方向３の領域、基準方向の右側については方向０〜方向１３の領域となる。今の時点では、ｍ＝１（第１サイクル）であるのでｍ＜３となり（ステップＳ５９：ＮＯ）、続いて、Ｎの値がｍに達したか否かを判定する。今の時点では、Ｎ＝１、ｍ＝１であるから（ステップＳ６０：ＹＥＳ）、第１サイクルを終了して、ステップＳ６２へ移行する。
【００６６】
ステップＳ６２では、指向方向を基準方向（方向０）に戻す。そして、この基準方向における受信可否を判定し（ステップＳ６３）、受信が可能な場合は（ステップＳ６３：ＹＥＳ）、そのときの受信方向をメモリ８に保存する（ステップＳ６５）。一方、受信不能の場合は（ステップＳ６３：ＮＯ）、ｍの値に１を加算してｍ＝ｍ＋１とする（ステップＳ６４）。これにより、ｍの値は２となる。
【００６７】
その後、ステップＳ５４へ移り、カウンタＮの値をＮ＝１に設定する。そして、基準方向から左回りにＮ方向だけ指向方向をシフトする（ステップＳ５５）。今の時点では、Ｎ＝１であるから、指向方向は左回りに１方向だけシフトする。このときの指向方向は、図６の方向１となる。
【００６８】
次に、シフト後の指向方向（方向１）における受信信号のレベルを検出して、受信の可否を判定する（ステップＳ５６）。当該方向において受信が可能な場合は（ステップＳ５６：ＹＥＳ）、そのときの受信方向（方向番号）をメモリ８に保存する（ステップＳ６５）。一方、受信不能の場合は（ステップＳ５６：ＮＯ）、基準方向（方向０）から右回りにＮ方向だけ指向方向をシフトする（ステップＳ５７）。今の時点では、Ｎ＝１であるから、指向方向は右回りに１方向だけシフトする。このときの指向方向は、図６の方向１５となる。
【００６９】
次に、シフト後の指向方向（方向１５）における受信信号のレベルを検出して、受信の可否を判定する（ステップＳ５８）。当該方向において受信が可能な場合は（ステップＳ５８：ＹＥＳ）、そのときの受信方向（方向番号）をメモリ８に保存する（ステップＳ６５）。一方、受信不能の場合は（ステップＳ５８：ＮＯ）、ｍの値が所定値に達したか否かを判定する（ステップＳ５９）。今の時点では、ｍ＝２（第２サイクル）であるのでｍ＜３となり（ステップＳ５９：ＮＯ）、続いて、Ｎの値がｍに達したか否かを判定する（ステップＳ６０）。今の時点では、Ｎ＝１、ｍ＝２であるから（ステップＳ６０：ＮＯ）、Ｎの値に１を加算してＮ＝Ｎ＋１とする（ステップＳ６１）。これにより、Ｎの値は２となる。
【００７０】
その後、ステップＳ５５へ戻り、基準方向から左回りにＮ方向だけ指向方向をシフトする。今の時点では、Ｎ＝２であるから、指向方向は左回りに２方向シフトする。このときの指向方向は、図６の方向２となる。次に、方向２における受信の可否を判定し（ステップＳ５６）、受信が可能な場合は（ステップＳ５６：ＹＥＳ）、そのときの受信方向をメモリ８に保存する（ステップＳ６５）。一方、受信不能の場合は（ステップＳ５６：ＮＯ）、基準方向（方向０）から右回りにＮ方向だけ指向方向をシフトする（ステップＳ５７）。今の時点では、Ｎ＝２であるから、指向方向は右回りに２方向シフトする。このときの指向方向は、図６の方向１４となる。
【００７１】
次に、シフト後の指向方向（方向１４）における受信の可否を判定し（ステップＳ５８）、受信が可能な場合は（ステップＳ５８：ＹＥＳ）、そのときの受信方向をメモリ８に保存する（ステップＳ６５）。一方、受信不能の場合は（ステップＳ５８：ＮＯ）、ｍの値が所定値に達したか否かを判定する（ステップＳ５９）。今の時点では、ｍ＝２（第２サイクル）であるのでｍ＜３となり（ステップＳ５９：ＮＯ）、続いて、Ｎの値がｍに達したか否かを判定する（ステップＳ６０）。今の時点では、Ｎ＝２、ｍ＝２であるから（ステップＳ６０：ＹＥＳ）、第２サイクルを終了して、ステップＳ６２へ移行する。
【００７２】
ステップＳ６２では、指向方向を基準方向（方向０）に戻す。そして、この基準方向における受信可否を判定し（ステップＳ６３）、受信が可能な場合は（ステップＳ６３：ＹＥＳ）、そのときの受信方向をメモリ８に保存する（ステップＳ６５）。一方、受信不能の場合は（ステップＳ６３：ＮＯ）、ｍの値に１を加算してｍ＝ｍ＋１とする（ステップＳ６４）。これにより、ｍの値は３となる。
【００７３】
その後、ステップＳ５４へ移り、カウンタＮの値をＮ＝１に設定する。そして、基準方向から左回りにＮ方向だけ指向方向をシフトする（ステップＳ５５）。今の時点では、Ｎ＝１であるから、指向方向は左回りに１方向だけシフトする。このときの指向方向は、図６の方向１となる。以下同様にして、ステップＳ５５〜Ｓ６１を反復することにより、第３サイクルにおける左右交互のシフト動作を実行する。そして、右回りシフトにより方向１３までシフトが行われると、ステップＳ５９においてｍ≧３となり、第３サイクルを終了して、ステップＳ５３へ戻り、サイクルを第１サイクルに戻して（ｍ＝１）、上述した一連の手順を繰り返す。
【００７４】
ステップＳ５６、Ｓ５８およびＳ６３において、受信可能と判定され、ステップＳ６５で受信方向がメモリ８に保存されると、メモリ８に記憶されている指向方向が更新され、スマートアンテナ２は、制御部４からの指令に基づき、その方向に指向性を設定して以後の放送電波の受信を行う。
【００７５】
以上述べた実施形態では、スマートアンテナ２を接続した放送受信機１に、本発明を適用した場合を例に挙げているが、本発明は、スマートアンテナ以外にも、例えばアダプティブアレイアンテナのような複数の方向に指向性を切替可能なアンテナを接続した放送受信機に適用することが可能である。また、例えばラジオ放送を受信する放送受信機や、衛星放送を受信する放送受信機のようなものにも適用することが可能である。
【図面の簡単な説明】
【００７６】
【図１】本発明に係る放送受信機を用いた受信システムを示す図である。
【図２】第１実施形態の動作を説明する図である。
【図３】第１実施形態の動作を表したフローチャートである。
【図４】第２実施形態の動作を説明する図である。
【図５】第２実施形態の動作を表したフローチャートである。
【図６】第３実施形態の動作を説明する図である。
【図７】第３実施形態の動作を表したフローチャートである。
【図８】受信不能時のサーチ方法を説明する図である。
【符号の説明】
【００７７】
１    放送受信機
２    スマートアンテナ
３    テレビジョン受像機
４    制御部
５    チューナ
６    信号処理部
８    メモリ
９    操作部
【図１】
2006013930.tif 000003
【図２】
2006013930.tif 000004
【図３】
2006013930.tif 000005
【図４】
2006013930.tif 000006
【図５】
2006013930.tif 000007
【図６】
2006013930.tif 000008
【図７】
2006013930.tif 000009
【図８】
2006013930.tif 000010